(57)【要約】【課題】テレビ用の液晶画面をカバーすることができ、しかも、安全に装着することができ、多くのタイプに共通して利用できる構造の液晶テレビ画面用カバーを提供する。【解決手段】液晶画面の前面に配置される透明なアクリル樹脂製又は樹脂板又はポリカーボネート樹脂又はペット樹脂製のカバー体１０を設ける。カバー体１０をテレビ画面本体Ｐの周囲適位置に固定する固定体２０を設ける。固定体２０に、カバー体１０の上縁部適位置に設けられテレビ画面本体Ｐの上面部に係止する係止片２１を設ける。カバー体１０の下縁部に、テレビ画面本体Ｐの下面部方向に差し込まれる固定片２２を設ける。該固定片２２に、固定片２２を下面から貫通してテレビ画面本体Ｐの下面部に突き当ててカバー体１０を固定する固定ネジ２３を設ける。固定体２０を透明なアクリル樹脂材又はポリカーボネート樹脂材又はペット樹脂材にて設ける。【選択図】図１
0003132461.tif 000002
【実用新案登録請求の範囲】
【請求項１】
液晶テレビの画面前面に装着して液晶画面を保護する液晶テレビ画面用カバーであって、液晶画面の前面に配置される透明なアクリル樹脂又はポリカーボネート樹又はペット樹脂製のカバー体と、該カバー体の周囲適位置に設けられ、カバー体をテレビ画面本体の周囲適位置に固定する固定体と、から成ることを特徴とする液晶テレビ画面用カバー。
【請求項２】
前記固定体は、カバー体の上縁部適位置に設けられテレビ画面本体の上面部に係止する係止片と、カバー体の下縁部に設けられ、テレビ画面本体の下面部方向に差し込まれる固定片と、該固定片に、固定片を下面から貫通してテレビ画面本体の下面部に突き当ててカバー体を固定する固定ネジとが、透明なアクリル樹脂又はポリカーボネート樹脂又はペット樹脂にて設けられた請求項１記載の液晶テレビ画面用カバー。
【請求項３】
前記固定体は、カバー体の上縁部全体に設けられ、前記テレビ画面本体の上面に係止する係止板と、前記テレビ画面本体の左右側面を囲む一対の側板とが、透明なアクリル樹脂又はポリカーボネート樹脂又はペット樹脂にて設けられ、係止板に換気用孔を開穿してテレビ画面本体の熱を排出するように設けた請求項１記載の液晶テレビ画面用カバー。
【請求項４】
前記固定体は、前記テレビ画面本体における前記液晶画面の周囲に接着する接着枠が前記カバー体の周囲から延長形成されてカバー体と一体化し、該接着枠の接着面に接着剤を設けると共に、該接着枠の前面を着色して矩形状の着色帯を設けた請求項１記載の液晶テレビ画面用カバー。
【考案の詳細な説明】
【技術分野】
【０００１】
本考案は、テレビ画面に使用されている液晶画面を透明なアクリル板等で保護する液晶テレビ画面用カバーに関するものである。
【背景技術】
【０００２】
従来の液晶テレビのカバーとして、特許文献１や特許文献２に記載されたカバーが提案されている。
【０００３】
特許文献１に記載された液晶テレビジョンのフロントカバー構造が提案されている。このカバーは、カバーの両側に開閉自在な側面板を設け、折りたたんだ側面版の前面に上下に開閉するフロントカバーを設けたもので、側面板を左右に開放すると、この側面板の上端部にフロントカバーが持ち上げられ、液晶画面が見えるようにしたものである。
【０００４】
また、液晶画面を保護する際は、左右の側面板を液晶画面上に折りたたむと共に、フロントカバーを側面板の前面に重ねることで、液晶画面を保護する構造になっている。
【０００５】
特許文献２は、液晶表示装置の保護カバーに関するもので、液晶画面の前面を保護する補強部材にポリカーボネート樹脂を使用し、この補強部材の周囲を囲む本体部にアクリル樹脂材を使用するものである。そして、このアクリル樹脂材の本体部とポリカーボネート樹脂製の補強部材とをインサート成形又は接着材などで一体化している。
【特許文献１】実開平５−２５８８１号公報
【特許文献２】特開２００１−１３４１９６号公報
【考案の開示】
【考案が解決しようとする課題】
【０００６】
特許文献１及び特許文献２に記載されている液晶画面用カバーは、いずれも車載用のテレビや携帯用のテレビ画面に使用されている液晶画面を保護する目的で提案されている。すなわち、特許文献１では、液晶画面に入り込む光を遮るように設けられている。また、特許文献２では、衝突時にカバーが破損した場合を考慮し、衝撃力に強く、破断部が球状になり安全性の高いポリカーボネート樹脂材を選択したものである。
【０００７】
このように、従来の液晶画面用カバーでは、家庭用で使用されているテレビ用の液晶画面を保護するようには工夫されていなかった。また、テレビ用の液晶画面では、大型テレビの普及に伴って大型の液晶画面も使用されるようになり、この大型の画面を保護するカバーが望まれている。すなわち、大型の液晶画面を保護するには、カバー自体も大きくなるので、このカバーを安全に取り付ける必要がある。しかも、大型テレビに使用される液晶画面には、メーカーによっていくつものタイプがあるので、できるだけ多くのタイプに共通して利用できるものが好ましい。
【０００８】
そこで本考案は、上述の課題を解消すべく案出されたもので、テレビ用の液晶画面をカバーすることができ、しかも、安全に装着することができ、多くのタイプに共通して利用できる構造の液晶テレビ画面用カバーの提供を目的とする。
【課題を解決するための手段】
【０００９】
本考案の第１の手段は、液晶テレビの画面前面に装着して液晶画面Ｑを保護する液晶テレビ画面用カバーであって、液晶画面の前面に配置される透明なアクリル樹脂製又はポリカーボネート樹脂又はペット樹脂製のカバー体１０と、該カバー体１０の周囲適位置に設けられ、カバー体１０をテレビ画面本体Ｐの周囲適位置に固定する固定体２０とから成るものである。
【００１０】
第２の手段の前記固定体２０は、カバー体１０の上縁部適位置に設けられテレビ画面本体Ｐの上面部に係止する係止片２１と、カバー体１０の下縁部に設けられ、テレビ画面本体Ｐの下面部方向に差し込まれる固定片２２と、該固定片２２に、固定片２２を下面から貫通してテレビ画面本体Ｐの下面部に突き当ててカバー体１０を固定する固定ネジ２３とが、透明なアクリル樹脂又はポリカーボネート樹脂又はペット樹脂にて設けられたものとする。
【００１１】
第３の手段の前記固定体２０は、カバー体１０の上縁部全体に設けられ、前記テレビ画面本体の上面に係止する係止板２４と、前記テレビ画面本体Ｐの左右側面を囲む一対の側板２５とが透明なアクリル樹脂又はポリカーボネート樹脂又はペット樹脂にて設けられ、係止板２４に換気用孔２６を開穿してテレビ画面本体Ｐの熱を排出するように設けている。
【００１２】
第４の手段の前記固定体２０は、前記テレビ画面本体Ｐにおける前記液晶画面Ｑの周囲に接着する接着枠２７が前記カバー体１０の周囲から延長形成されてカバー体１０と一体化し、該接着枠２７の接着面に接着剤２８を設けると共に、該接着枠２７の前面を着色して矩形状の着色帯２９を設けたことを課題解消のための手段とする。
【考案の効果】
【００１３】
本考案の請求項１の如く、液晶画面の前面に配置される透明な樹脂製のカバー体１０と、該カバー体１０の周囲適位置に設けられ、カバー体１０をテレビ画面本体Ｐの周囲適位置に固定する固定体２０とを設けたことにより、テレビ用サイズの大型液晶画面でもカバーすることができる。
【００１４】
また、カバー体１０を、アクリル樹脂又はポリカーボネート樹又はペット樹脂にて設けることで、加工しやすく、耐熱性に優れ、省資源化にも寄与するカバーを提供することができる。
【００１５】
また、請求項２により、テレビ画面本体Ｐの上面部に係止する係止片２１と、カバー体１０の下縁部に設けられ、テレビ画面本体Ｐの下面部方向に差し込まれる固定片２２と、該固定片２２に、固定片２２を下面から貫通してテレビ画面本体Ｐの下面部に突き当ててカバー体１０を固定する固定ネジ２３とを設けたことにより、安全に装着することができ、固定ネジ２３の調整によって多くのタイプに共通して利用することができる。
しかも、これらの固定体２０を全て透明なアクリル樹脂又はポリカーボネート樹脂又はペット樹脂にて設けたことにより、カバー体１０と固定体２０とが一体化され、デザイン的にも優れたものになり、テレビ画面本体Ｐに対して違和感なく使用することができる。
【００１６】
請求項３により、テレビ画面本体Ｐの上面に係止する係止板２４と、前記テレビ画面本体Ｐの左右側面を囲む一対の側板２５とを設けたことにより、テレビ画面本体Ｐの三方を囲むように装着することができる。この結果、例えば、テレビ画面本体Ｐの下面にスピーカーなどが装備されているような仕様に共通して、カバー体１０を装着することが可能になった。しかも、これらの係止板２４と側板２５とを、カバー体１０と同じ透明なアクリル樹脂又はポリカーボネート樹脂又はペット樹脂にて設けているので、カバー体１０と固定体２０とが一体化され、デザイン的にも優れたものになり、テレビ画面本体Ｐに対して違和感なく使用することができる。更に、係止板２４に換気用孔２６を開穿してテレビ画面本体Ｐの熱を排出するから、安全な使用ができるものである。
【００１７】
請求項４により、液晶画面Ｑの周囲に接着する接着枠２７が前記カバー体１０の周囲から延長形成されてカバー体１０と一体化し、該接着枠２７の接着面に接着剤２８を設けているので、テレビ画面本体Ｐの周囲に係止することができないタイプのテレビ画面本体Ｐでも、カバー体１０を簡単に装着することができる。また、接着枠２７の前面を着色して矩形状の着色帯２９を設けているので、透明なアクリル樹脂又はポリカーボネート樹脂又はペット樹脂を通して接着剤２８が見えなくなる。しかも、着色帯２９がカバー体１０を囲むことによって、デザイン上のアクセント効果も奏する。この結果、外観形状に優れた液晶画面用カバーを提供することができる。
【００１８】
このように、本考案によると、テレビ用の液晶画面をカバーすることができ、しかも、安全に装着することができ、多くのタイプのテレビ画面本体に共通して利用できるといった実用上有益な種々の効果を奏するものである。
【考案を実施するための最良の形態】
【００１９】
本考案の最良の形態は、液晶画面の前面に配置される透明なアクリル樹脂製又はポリカーボネート樹脂製又はペット樹脂製のカバー体１０を設ける。カバー体１０に、テレビ画面本体Ｐの周囲適位置に固定する固定体２０を設ける。固定体２０に、カバー体１０の上縁部適位置に設けられテレビ画面本体Ｐの上面部に係止する係止片２１を設ける。カバー体１０の下縁部に、テレビ画面本体Ｐの下面部方向に差し込まれる固定片２２を設ける。該固定片２２に、固定片２２を下面から貫通してテレビ画面本体Ｐの下面部に突き当ててカバー体１０を固定する固定ネジ２３を設け、固定体２０を透明なアクリル樹脂又はポリカーボネート樹脂又はペット樹脂にて設けることで、当初の目的を達成するものである。
【実施例】
【００２０】
本考案カバーは、液晶テレビのテレビ画面本体Ｐ前面に装着して液晶画面Ｑを保護するもので、カバー体１０と固定体２０とで構成されている。
【００２１】
カバー体１０は、液晶画面の前面に配置される透明なアクリル樹脂製又はポリカーボネート樹脂製又はペット樹脂製の部材である。アクリル樹脂を用いた場合には透明感に優れ加工が容易なカバー体１０になり、一方、ポリカーボネート樹脂を使用した場合には耐熱性に優れたカバー体１０にすることができる。更に、リサイクル資源として注目されているペット樹脂の使用も可能である。図示のカバー体１０は、大画面テレビに使用される液晶画面Ｑに装着するものであるが、一般に普及しているサイズのテレビや小型テレビに用いられる液晶画面Ｑに装着することも可能であり、各液晶画面Ｑのサイズに応じて形成される。
【００２２】
固定体２０は、カバー体１０をテレビ画面本体Ｐに固定する部材である。図１に示す固定体２０は、係止片２１と固定片２２と固定ネジ２３とを有するものである。
【００２３】
係止片２１は、カバー体１０の上縁部適位置に設けられテレビ画面本体Ｐの上面部に係止する部材である（図２参照）。図示例では、カバー体１０の上縁部全体に設け、係止片２１の先端部から更に下方に突出した係止部２１Ａを設けている。また、図示していないが、この係止片２１をカバー体１０上縁部の一部に複数個設けてもよい。
【００２４】
固定片２２は、カバー体１０の下縁部に設けられ、テレビ画面本体Ｐの下面部方向に差し込まれる部材である（図１参照）。図示の固定片２２はカバー体１０の下縁部全体に設けているが、この固定片２２も前記係止片２１と同様に、カバー体１０下縁部の一部に複数個設けることも可能である。
【００２５】
固定ネジ２３は、固定片２２を下面から貫通してテレビ画面本体Ｐの下面部に突き当てる部材である（図３参照）。この固定ネジ２３をテレビ画面本体Ｐの下面部に圧着することで、カバー体１０を固定するものである。
【００２６】
そして、これら固定片２２、固定ネジ２３、係止板２４を全て透明なアクリル樹脂又はポリカーボネート樹脂又はペット樹脂のいずれか又はこれらの組み合わせにて設けている。これは、同じ透明な樹脂材で形成するカバー体１０と一体感を持たせるもので、カバー体１０と固定体２０とが全て透明なアクリル樹脂又はポリカーボネート樹脂又はペット樹脂で形成されることにより、テレビ画面本体Ｐの前面に装着した場合でも、全く違和感なく使用できるものになる。
【００２７】
図４に示す固定体２０は、透明なアクリル樹脂材又はポリカーボネート樹脂材又はペット樹脂材で形成された係止板２４と側板２５とで構成されている。
【００２８】
係止板２４は、カバー体１０の上縁部全体に設けられ、テレビ画面本体Ｐの上面に係止する部材である。この係止板２４には、換気用孔２６を開穿してあり、テレビ画面本体Ｐの熱を排出するように設けている（図４参照）。また、係止板２４の先端部から更に下方に突出した係止部２４Ａを設けている。
【００２９】
側板２５は、テレビ画面本体Ｐの左右側面を囲む一対の部材で、カバー体１０と係止板２４とに接着して一体に設けている。そして、これら係止板２４と側板２５とによってテレビ画面本体Ｐの三方を囲むように装着するものである（図５参照）。
【００３０】
図６に示す固定体２０は、カバー体１０の周囲から延長形成された接着枠２７と、接着剤２８、着色帯２９にて構成されている。
【００３１】
接着枠２７は、前記テレビ画面本体Ｐにおける前記液晶画面Ｑの周囲に接着する部材である。この接着枠２７は、カバー体１０の周囲から延長形成されてカバー体１０と一体化している。そして、この接着枠２７の接着面に接着剤２８を設け、この接着剤２８にてテレビ画面本体Ｐに固定する（図７参照）。接着剤２８としては、両面テープなどのほか、任意に接着剤２８が使用される。
【００３２】
着色帯２９は、接着枠２７の前面に印刷などによって設けられた矩形状のもので、黒色や任意の色彩に着色されるものである（図６参照）。この着色帯２９は、接着枠２７の内側に設けた接着剤２８を覆い隠すと共に、接着枠２７のデザイン上のアクセントになるものである。したがって、着色帯２９は図示例に限られるものではなく、自由なデザインを施すことができるものである。
【００３３】
カバー体１０や固定体２０に使用する透明なアクリル樹脂板又はポリカーボネート樹脂板又はペット樹脂板の厚みは、強度上の観点から5mm程度のものを使用するが、図６、図７に示す如く、接着枠２７を設けるものについては、2mm程度のアクリル樹脂板又はポリカーボネート樹脂板又はペット樹脂板を使用することで、カバー体１０の軽量化を図り、安定した接着が可能になる。
【００３４】
尚、図示例の各構成は、本考案の一実施例にすぎず、カバー体１０や固定体２０の形状、構造、寸法、デザインなどは任意に選択できるもので、本考案の要旨を変更しない範囲において自由に変更することができるものである。
【図面の簡単な説明】
【００３５】
【図１】本考案の一実施例を示す分解斜視図である。
【図２】図１に示す係止片の使用状態を示す要部側面図である。
【図３】図１に示す固定ネジの使用状態を示す要部側面図である。
【図４】本考案の他の実施例を示す分解斜視図である。
【図５】図４に示す側板の使用状態を示す要部側面図である。
【図６】本考案の他の実施例を示す分解斜視図である。
【図７】図６に示す接着枠の使用状態を示す要部側面図である。
【符号の説明】
【００３６】
Ｐ  テレビ画面本体
Ｑ  液晶画面
１０  カバー体
２０  固定体
２１  係止片
２１Ａ係止部
２２  固定片
２３  固定ネジ
２４  係止板
２１Ａ係止部
２５  側板
２６  換気用孔
２７  接着枠
２８  接着剤
２９  着色帯
【図１】
0003132461.tif 000003
【図２】
0003132461.tif 000004
【図３】
0003132461.tif 000005
【図４】
0003132461.tif 000006
【図５】
0003132461.tif 000007
【図６】
0003132461.tif 000008
【図７】
0003132461.tif 000009